(57)【要約】【課題】同じ先端作業具を用いて、作業者から遠い位置でも近い位置でも作業ができ、且つ遠い位置においては、間接活線作業が可能な遠近両用作業具を提供することを課題とする。【解決手段】本発明は、柄を備える作業具の柄を除く作業部で構成される先端作業具と、間接活線作業に用いられる絶縁操作棒と、前記絶縁操作棒に連結して延長するための足し棒とを備える間接活線作業可能な遠近両用作業具であって、前記先端作業具は、その基端部に前記絶縁操作棒の先端部及び前記足し棒の先端部と着脱自在に接続可能な接続手段を備え、前記足し棒は、その先端部に前記先端作業具の基端部及び前記絶縁操作棒の基端部と着脱自在に接続可能な接続手段を備え、前記絶縁操作棒は、その先端部に前記先端作業具の基端部と着脱自在に接続可能な接続手段を備え、且つ基端部に前記足し棒の先端部と着脱自在に接続可能な接続手段を備えることを特徴とする。【選択図】図１
2008079432.tif 000002
【特許請求の範囲】
【請求項１】
柄を備える作業具の柄を除く作業部で構成される先端作業具と、間接活線作業に用いられる絶縁操作棒と、前記絶縁操作棒に連結して延長するための足し棒とを備える間接活線作業可能な遠近両用作業具であって、
前記先端作業具は、その基端部に前記絶縁操作棒の先端部及び前記足し棒の先端部と着脱自在に接続可能な接続手段を備え、前記足し棒は、その先端部に前記先端作業具の基端部及び前記絶縁操作棒の基端部と着脱自在に接続可能な接続手段を備え、前記絶縁操作棒は、その先端部に前記先端作業具の基端部と着脱自在に接続可能な接続手段を備え、且つその基端部に前記足し棒の先端部と着脱自在に接続可能な接続手段を備えることを特徴とする間接活線作業可能な遠近両用作業具。
【請求項２】
前記先端作業具の基端部に備えられる接続手段と前記絶縁操作棒の基端部に備えられる接続手段とが同一で、且つ前記絶縁操作棒の先端部に備えられる接続手段と前記足し棒の先端部に備えられる接続手段とが同一である請求項１に記載の間接活線作業可能な遠近両用作業具。
【請求項３】
前記先端作業具は、前記接続手段の先端側に前記作業部が交換可能に取り付けられる請求項１又は２記載の間接活線作業可能な遠近両用作業具。
【発明の詳細な説明】
【技術分野】
【０００１】
本発明は、作業者から遠い位置又は近い位置のどちらにおいても適宜作業することができ、且つ、遠い位置においては間接活線作業が可能な遠近両用作業具に関する。
【背景技術】
【０００２】
従来より、通電している電線（架空線）に関する工事を行う場合、直接電線の通電部分に触れず、活線近接範囲外から作業を行う間接活線工事が行われており、かかる工事においては、図８に示すような、架空線（活線）の作業位置に先端部を位置させることができる絶縁性の素材で形成された長尺な絶縁操作棒（絶縁棒）１０１と、その先端部に着脱自在に接続（連結）可能な先端工具１０２とで構成される間接活線作業用工具１００が使用されていた。
【０００３】
該間接活線作業用工具１００は、その作業の内容によって、１本の絶縁操作棒１０１の先端部に着脱自在に連結された先端工具１０２を、その目的に対応した先端工具１０２、例えばバインド打器（特許文献１及び図８（イ）を参照）、トング（図８（ロ）を参照）等に交換して作業を行っていた。
【０００４】
また、間接活線作業において、作業位置へ先端工具１０２を位置させるのに絶縁操作棒１０１の長さが足りない場合には、絶縁操作棒１０１の基端部に短い棒状の足し棒（図示しない）を連結して絶縁操作棒１０１の長さを延長して前記間接活線作業を行っていた。
【特許文献１】特開２００５−１７２７５２号公報
【発明の開示】
【発明が解決しようとする課題】
【０００５】
ところで、間接活線作業において、架空線近傍に位置する木の枝等が邪魔になる場合があり、その場合、この木の枝等を伐採する必要がある。しかし、前記間接活線作業用工具は、その先端部に接続される先端工具には前述のようなバインド打器やトング等の工具として用いるものしかなく、木の枝等を伐採するための鎌のような先端作業具はなかった。
【０００６】
そのため、間接活線作業において架空線近傍に位置する邪魔な木の枝等の伐採作業は、絶縁性を有しない長尺の棒状体の先端に鎌の刃を接続した長尺な作業具を用い、作業者が保護具を着用して活線作業を行うしかなく、そのため保護具を着用する際や、該保護具を着用した状態での作業は非常に煩雑であり、また、作業現場に保護具等を携帯しなければならないことから、山奥等の作業現場への運搬において多くの労力が必要であった。
【０００７】
また、鎌は、柄の先端に三日月状の刃を取り付けたものであり、作業者が柄を持って作業を行うことで作業者近傍の草木を伐採するのには適している。しかし、前記長尺の作業具は、長尺の棒状体の先端に鎌の刃（作業部）を接続したものであるため、作業者から遠い位置においては伐採作業を行い易いが、作業者に近い位置においては、長尺の棒状体が邪魔になり伐採作業を行うことが困難である。そのため、作業者の足下周辺の草木の伐採を行うためには、別途通常の柄付きの鎌を携帯しなければならないことから荷物が多くなり、それを運ぶ作業者には、非常に多くの労力が必要となるといった問題が生じた。
【０００８】
そこで、本発明は、上記問題点に鑑み、同じ先端作業具を用いて、作業者から遠い位置でも近い位置でも作業ができ、且つ遠い位置においては、間接活線作業が可能な遠近両用作業具を提供することを課題とする。
【課題を解決するための手段】
【０００９】
そこで、上記課題を解消すべく、本発明に係る間接活線作業可能な遠近両用作業具は、柄を備える作業具の柄を除く作業部で構成される先端作業具と、間接活線作業に用いられる絶縁操作棒と、前記絶縁操作棒に連結して延長するための足し棒とを備える間接活線作業可能な遠近両用作業具であって、前記先端作業具は、その基端部に前記絶縁操作棒の先端部及び前記足し棒の先端部と着脱自在に接続可能な接続手段を備え、前記足し棒は、その先端部に前記先端作業具の基端部及び前記絶縁操作棒の基端部と着脱自在に接続可能な接続手段を備え、前記絶縁操作棒は、その先端部に前記先端作業具の基端部と着脱自在に接続可能な接続手段を備え、且つその基端部に前記足し棒の先端部と着脱自在に接続可能な接続手段を備えることを特徴とする。
【００１０】
かかる構成によれば、先端作業具は、その基端部に絶縁操作棒の先端部と着脱自在に接続可能な接続手段を備え、絶縁操作棒は、その先端部に前記先端作業具の基端部と着脱自在に接続可能な接続手段を備えることから、絶縁操作棒の先端に先端作業具を着脱自在に接続することができる。
【００１１】
このように絶縁操作棒の先端部に先端作業具の基端部を接続することで、作業者から遠い位置（離れた位置）での作業を行うことができる。また、絶縁操作棒を使用していることから、間接活線作業も行うことができる。
【００１２】
また、絶縁操作棒は、その基端部に足し棒の先端部と着脱自在に接続可能な接続手段を備え、足し棒は、その先端部に絶縁操作棒の基端部と着脱自在に接続可能な接続手段を備えることから、絶縁操作棒の基端部に足し棒を着脱自在に接続することができる。
【００１３】
このように、絶縁操作棒の基端部に足し棒の先端部を接続することで、絶縁操作棒の長さが延長され、該絶縁操作棒だけでは届かない位置での作業（間接活線作業）を行うことができる。
【００１４】
さらに、前記先端作業具は、その基端部に足し棒の先端部と着脱自在に接続可能な接続手段を備え、足し棒は、その先端部に前記先端作業具の基端部と着脱自在に接続可能な接続手段を備えることから、前記先端作業具の基端部に足し棒の先端部を着脱自在に接続することができる。
【００１５】
このように、先端作業具の基端部に足し棒の先端部を接続することで、作業者から近い位置（近傍位置）での作業を行うことができる。即ち、通常の柄付きの作業具と同様に使用することができるようになる。
【００１６】
尚、本発明において、柄を備える作業具とは、、鎌や鋸、ハンマー、ラチェットレンチ等の作業対象物に対して、切る、締め付ける、回す、打ち付ける等の作業を行う道具であって、一般工具以外の道具も含むものであり、作業部とは、鎌の刃や鋸の刃、ハンマー先端の釘等を叩く部分、ラチェットレンチのボルトと係合する部分等の柄を除いた作業対象物に直接作用を及ぼす部分をいう。
【００１７】
また、前記先端作業具の基端部に備えられる接続手段と前記絶縁操作棒の基端部に備えられる接続手段とが同一で、且つ前記絶縁操作棒の先端部に備えられる接続手段と前記足し棒の先端部に備えられる接続手段とが同一である構成であることが好ましい。
【００１８】
かかる構成によれば、前記同様に、絶縁操作棒の先端に先端作業具を着脱自在に接続することができ、また、絶縁操作棒の基端部に足し棒を着脱自在に接続することができ、さらに、前記先端作業具の基端部に足し棒の先端部を着脱自在に接続することができる。その結果、同じ先端作業具を用いて、作業者から遠い位置でも近い位置でも作業ができ、且つ遠い位置においては、間接活線作業が可能となると共に、部品を共通化することで製造コストの削減を図ることもできるようになる。
【００１９】
また、前記先端作業具は、前記接続手段の先端側に前記作業部が交換可能に取り付けられる構成であることが好ましい。
【００２０】
かかる構成によれば、前記先端作業具における接続手段の先端側に作業部が交換可能に取り付けられていることから、前記作業部又は前記接続手段の一方が損傷した場合に、損傷した一方（作業部又は接続手段）だけを交換することが可能となり、メンテナンス費用の抑制を図ることができる。
【発明の効果】
【００２１】
以上より、本発明によれば、同じ先端作業具を用いて、作業者から遠い位置でも近い位置でも作業ができ、且つ遠い位置においては、間接活線作業が可能な遠近両用作業具を提供することができるようになる。
【発明を実施するための最良の形態】
【００２２】
以下、本発明の一実施形態について、添付図面を参照しつつ説明する。
【００２３】
本実施形態にかかる間接活線作業が可能な遠近両用作業具（以下、単に「遠近両用作業具」と言うことがある。）は、図１に示すように、間接活線作業に用いられる絶縁操作棒１０と、該絶縁操作棒１０の先端に着脱自在に接続される先端作業具４０と、絶縁操作棒１０の基端部に着脱自在に接続し、該絶縁操作棒１０を延長するための足し棒５０とを備える。
【００２４】
絶縁操作棒１０は、絶縁性の長尺な主軸（絶縁棒）１１と、その先端部に先端作業具４０を接続するための接続部（接続手段）２０と、主軸１１の基端部に足し棒５０を接続するための接続金具（接続手段）３０とを備える。
【００２５】
主軸１１は、絶縁性を備えるパイプ状に形成されている。この主軸１１は、吸湿性の少ないエポキシ樹脂系強化プラスチック、ポリエステル樹脂系強化プラスチック等の変形し難く、且つ絶縁性が低下しない部材から形成されている。また、主軸１１は、その内部の両端には結栓を行い、内部への水の浸入を防ぐために接着剤によって表面をコーティング処理する等の防水処理が施されている。
【００２６】
主軸１１の中間部には、間接活線作業（間接活線工事）において、感電事故を防止するために、作業者が握って（把持して）良い部分とそれ以外の部分（把持すると感電する可能性がある部分）との境界を明確にするための安全限界鍔１２が嵌合固定されている。主軸１１先端の接続部２０の基端側端部から安全限界鍔１２の先端側端部迄の長さは、本実施形態においては、６００ｍｍ（安全限界距離）以上の間隔を有する。また、降雨時対策として、接続部２０の基端側端部から安全限界鍔１２の先端側端部との略中間位置に、水切り用の鍔（水切り鍔又は雨切り鍔）１３が嵌合固定されている。これら安全限界鍔１２と水切り鍔１３は、軟質性の合成ゴムから形成されている。尚、本実施形態において、先端側とは主軸１１の先端側をいい、基端側とは主軸１１の基端側をいう。
【００２７】
そして、主軸１１の基端側には作業者が絶縁操作棒１０を操作する際に把持するグリップ部Ｇが形成されており、基端部には、主軸１１を延長するための延長部材（足し棒）４０を接続するための接続金具（ジョイント金具）３０が配設されている。グリップ部Ｇは、その表面が滑り止めとしてのゴム等で被覆されても良い。また、接続金具３０には、未使用時（足し棒４０が接続されていない時）には、キャップ１４が被せられており、キャップ１４は、グリップ部Ｇと紐１５によって繋がれている。
【００２８】
接続部２０は、図２（イ）にも示すように、円筒形の筒状挿入部２１の周面に係止用突起２２，２２が突設されている。係止用突起２２，２２は、一対の円柱状の突起で構成されており、筒状挿入部２１の周面の互いに反対側の位置に径方向外側に向かって突設されている。尚、本実施形態においては、係止用突起２２は、２本（一対）設けられて（突設されて）いるが、これに限定される必要はなく、１本であっても良く、３本以上であっても良い。
【００２９】
また、接続部２０の先端には、該接続部２０の内部に形成された収納空間Ｓと連通し、後述する凸型部材２５の凸部２６が摺動する孔２３が形成されている。収納空間Ｓには、凸部２６を孔２３から突出させるように収納される凸型部材２５と、一端を収納空間Ｓに固定すると共に他端を凸型部材２５に固定することにより、凸型部材２５を絶縁操作棒１０の先端側に向けて付勢させる弾性体（本実施形態においては、スプリング）２４とを備える。尚、凸型部材２５は、凸部２６とヘッド部２７とから構成されており、ヘッド部２７は、真っ直ぐな円柱状の凸部２６の一端（後端）を径方向外側に延出した鍔状に形成され、凸部２６の周面が孔２３の内周面と摺動するように挿設されている。
【００３０】
内部空間Ｓは、ヘッド部２７の径方向外側周面が摺動するように直径が設定された円柱状の空間である。また、スプリング２４は、細線を螺旋状に形成した弾性体（所謂、つる巻きバネ）である。
【００３１】
このように接続部２０は、スプリング２４によって、凸型部材２５における凸部２６の先端が筒状挿入部２１の先端から突出するように常に付勢されており、その付勢は、凸型部材２５のヘッド部２７が孔２３の内部空間Ｓ側の周辺部に当接することで制限されている。
【００３２】
接続部２０の基端側には、固定ネジ２８が設けられている。固定ネジ２８は、短筒形状に形成され、軸芯が主軸１１と同一になるように設けられている。詳細には、固定ネジ２８は、その内周面に雌ネジが螺設されており、主軸１１における接続部２０の基端側外周面に螺設された雄ネジと螺合するように設けられている。また、固定ネジ２８は、軸芯周りに回動可能であり、この固定ネジ２８を固定方向に回転させることで、主軸１１の先端方向に移動し（矢印α）、反対方向に回転させることで主軸１１の基端側に移動する（矢印αと反対方向）。
【００３３】
接続金具３０は、図２（ロ）及び（ハ）に示すように、後述する足し棒５０における接続部５２の筒状挿入部２１’が挿入可能な有底筒状に形成されており、その周壁には筒状挿入部２１’の周面に突設された係止突起２２’，２２’と係合する係合切れ込み３１，３１が形成されている。
【００３４】
係合切れ込み３１，３１は、接続金具３０の周壁端縁から主軸１１の先端側へ軸芯に沿った方向に切れ込んだ第１切れ込み部３２と、該第１切れ込み部３２の先端側端部から接続金具３０の周方向に沿って切れ込んだ第２切れ込み部３３と、該第２切れ込み部３３の第１切れ込み部３２と反対側端部から基端側へ前記軸芯に沿った方向に切れ込んだ第３切れ込み部３４とから構成されたフック状の切れ込みである。また、係合切れ込み３１，３１は、接続金具３０を構成する周壁の対向する位置にそれぞれ形成されている。
【００３５】
図１に戻り、先端作業具４０は、柄を備える作業具の柄を除く作業部４１と、絶縁操作棒１０及び足し棒５０と接続するための接続金具（接続手段）４２とを備える。作業部４１は、鎌や鋸、ハンマー、ラチェットレンチ等の柄を備える作業具における、柄を除いた作業対象物に直接作用を及ぼす部分、即ち、鎌の刃や鋸の刃、ハンマー先端の釘等を叩く部分、ラチェットレンチのボルトと係合する部分等で構成される。本実施形態においては、作業部４１は、鎌の刃で構成されている。尚、作業具とは、作業対象物に対して、切る、締め付ける、回す、打ち付ける等の作業を行う道具であり、一般工具以外の道具も含むものである。
【００３６】
作業部（鎌の刃）４１は、ボルト４３によって交換可能に接続金具４２に取り付けられており、作業部４１が損傷、例えば、鎌の刃の刃先が欠ける等した場合には、作業部４１のみを交換することによって、コスト（メンテナンス費用）を抑制できるように構成されている。
【００３７】
接続金具４２は、図２（ロ）及び（ハ）に示すように、絶縁操作棒１０における接続部２０の筒状挿入部２１、及び後述する足し棒５０における接続部５２の筒状挿入部２１’が挿入可能な有底筒状に形成され、その周壁には筒状挿入部２１（２１’）の周面に突設された係止突起２２，２２（２２’，２２’）と係合する係合切れ込み３１’，３１’が形成されている。
【００３８】
係合切れ込み３１’，３１’は、接続金具４２の周壁端縁から先端側へ接続金具４２の軸芯に沿った方向に切れ込んだ第１切れ込み部３２’と、該第１切れ込み部３２’の先端側端部から接続金具４２の周方向に沿って切れ込んだ第２切れ込み部３３’と、該第２切れ込み３３’の第１切れ込み部３２’と反対側端部から基端側へ前記軸芯に沿った方向に切れ込んだ第３切れ込み部３４’とから構成されたフック状の切れ込みである。また、係合切れ込み３１’，３１’は、接続金具４２の周壁の対向する位置にそれぞれ形成されている。
【００３９】
図１に戻り、足し棒５０は、絶縁性の棒状の主軸（絶縁棒）５１と、その先端部に絶縁操作棒１０及び先端作業具３０と接続するための接続部（接続手段）５２とを備える。
【００４０】
主軸５１は、絶縁性を備えるパイプ状に形成されている。この主軸５１は、吸湿性の少ないエポキシ樹脂系強化プラスチック、ポリエステル樹脂系強化プラスチック等の変形し難く、且つ絶縁性が低下しない部材から形成されている。また、主軸５１は、その内部の両端には結栓を行い、内部への水の浸入を防ぐために接着剤によって表面をコーティング処理する等の防水処理が施されている。また、主軸５１の長さは、柄を備える作業具の柄の長さと略同一若しくは前記柄よりも長く設定されているが、後述するように主軸５１の先端部に先端作業具３０を接続した際に、柄を備える作業具と同様に扱える程度の長さに設定されている。さらに、主軸５１の表面には、滑り止めのゴム等が被覆されても良い。
【００４１】
接続部５２は、図２（イ）に示すように、円筒形の筒状挿入部２１’の周面に係止用突起２２’，２２’が突設されている。係止用突起２２’，２２’は、一対の円柱状の突起で構成されており、筒状挿入部２１’の周面の互いに反対側の位置に径方向外側に向かって突設されている。尚、本実施形態においては、係止用突起２２’は、２本（一対）設けられて（突設されて）いるが、前記同様、これに限定される必要はなく、１本であっても良く、３本以上であっても良い。
【００４２】
また、接続部５２の先端には、該接続部５２の内部に形成された収納空間Ｓ’と連通し、後述する凸型部材２５’の凸部２６’が摺動する孔２３’が形成されている。収納空間Ｓ’には、凸部２６’を孔２３’から突出させるように収納される凸型部材２５’と、一端を収納空間Ｓ’に固定すると共に他端を凸型部材２５’に固定することにより、凸型部材２５’を足し棒５０の先端側に向けて付勢させる弾性体（本実施形態においては、スプリング）２４’とを備える。
【００４３】
尚、凸型部材２５’は、凸部２６’とヘッド部２７’とから構成されており、ヘッド部２７’は、真っ直ぐな円柱状の凸部２６’の一端（後端）を径方向外側に延出した鍔状に形成されており、凸部２６’の周面が孔２３’の内周面と摺動するように挿設されている。また、内部空間Ｓ’は、ヘッド部２７’の径方向外側周面が摺動するように設定された円柱状の空間である。また、スプリング２４’は、細線を螺旋状に形成した弾性体（所謂、つる巻きバネ）である。
【００４４】
このように接続部５２は、スプリング２４’によって、凸型部材２５’における凸部２６’の先端が筒状挿入部２１’の先端から突出するように常に付勢されており、その付勢は、凸型部材２５’のヘッド部２７’が孔２３’の内部空間Ｓ’側の周辺部に当接することで制限されている。
【００４５】
接続部５２の基端側には、固定ネジ２８’が設けられている。固定ネジ２８’は、短筒形状に形成され、軸芯が主軸５１と同一になるように設けられている。詳細には、固定ネジ２８’は、その内周面に雌ネジが螺設されており、主軸５１における接続部５２の基端側外周面に螺設された雄ネジと螺合するように設けられている。また、固定ネジ２８’は、軸芯周りに回動可能であり、この固定ネジ２８’を固定方向に回転させることで、主軸５１の先端方向に移動し（矢印α’）、反対方向に回転させることで主軸５１の基端側に移動する（矢印α’と反対方向）。
【００４６】
本実施形態に係る遠近両用作業具は、以上の構成からなり、次に、遠近両用作業具の使用状態について説明するが、先ず、接続金具３０（４２）と接続部５２（２０）との接続状態について図３を参照しつつ説明する。
【００４７】
有底筒状の接続金具３０（４２）の開口に接続部５２（２０）の筒状挿入部２１’（２１）を挿入する。その際、係合切れ込み３１，３１（３１’，３１’）に筒状挿入部２１’（２１）の係止用突起２２’，２２’（２２，２２）が入るように調節する。詳細には、接続金具３０（４２）と筒状挿入部２１’（２１）との軸芯が共に同一直線上に位置するようにして接続金具３０（４２）に筒状挿入部２１’（２１）を挿入する。その際、係合切れ込み３１，３１（３１’，３１’）の第１切れ込み部３２，３２（３２’，３２’）に筒状挿入部２１’（２１）の周面に突設された係止用突起２２’，２２’（２２，２２）が入り込むように筒状挿入部２１’（２１）を軸線を中心に周方向に回転するよう、接続部５２（２０）を回転させて調節しながら筒状挿入部２１’（２１）の先端部を接続金具３０（４２）の開口に挿入する（図３（イ）参照）。
【００４８】
さらに、接続金具３０（４２）内に筒状挿入部２１’（２１）を挿入し続けると、筒状挿入部２１’（２１）の先端から突出している凸型部材２５’（２５）の凸部２６’（２６）先端が接続金具３０（４２）の底面に当接する。さらに、筒状挿入部２１’（２１）を挿入すると該筒状挿入部２１’（２１）の内部空間Ｓ’（Ｓ）に収納されているスプリング２４’（２４）によって先端方向に付勢されている凸型部材２５’（２５）の凸部２６’（２６）は、スプリング２４’（２４）の弾性力に逆らって該凸部２６’（２６）の先端と筒状挿入部２１’（２１）の先端とが略面一となるまで、即ち、筒状挿入部２１’（２１）の先端が接続金具３０（４２）の底面に当接するまで、筒状挿入部２１’（２１）内に押入される。この時、係止用突起２２’，２２’（２２，２２）は、第１切れ込み部３２，３２（３２’，３２’）の先端に位置するように第１切れ込み部３２，３２（３２’，３２’）の長さは、設定されている。また、その切れ込み幅は、係止用突起２２’，２２’（２２，２２）の直径より僅かに広くなるように設定されており、第２、第３切れ込み部３３，３４（３３’，３４’）も同様の切れ込み幅を有する。その状態で、係止用突起２２’，２２’（２２，２２）が第２切れ込み部３３，３３（３３’，３３’）に沿って移動するように、筒状挿入部２１’（２１）を軸芯を中心に回転するように接続部５２（２０）を回転（図３（ロ）の矢印βの方向）させる（図３（ロ）参照）。
【００４９】
係止用突起２２’，２２’（２２，２２）が第２切れ込み部３３，３３（３３’，３３’）の端部まで移動すると、筒状挿入部２１’（２１）に収納されているスプリング２４’（２４）によって凸型部材２５’（２５）の凸部２６’（２６）が筒状挿入部２１’（２１）の先端から突出する方向に付勢されているため、その付勢力によって筒状挿入部２１’（２１）が接続金具３０（４２）から押し出される。それに伴って、筒状挿入部２１’（２１）の係止用突起２２’，２２’（２２，２２）が第３切れ込み部３４，３４（３４’，３４’）の端部に当接して移動が制限（規制）される。その後、固定ネジ２８’（２８）を固定方向に回転させる（図３（ハ）の矢印γの方向）ことで、該固定ネジ２８’（２８）は、先端方向に移動し（図３（ハ）の矢印Γの方向）、その先端側端面が接続金具３０（４２）の基端側端面に当接する。このように固定ネジ２８’（２８）が接続金具３０（４２）と当接することで、筒状挿入部２１’（２１）は、接続金具３０（４２）内への進入が制限（規制）されるため、係止用突起２２’，２２’（２２，２２）が第３切れ込み部３４，３４（３４’，３４’）の先端側に移動できず、接続部５２（２０）と接続金具３０（４２）とは、強固に接続（固定）される（図３（ハ）参照）。
【００５０】
以上のようにして、接続金具３０（４２）と接続部５２（２０）とは、接続されるが、接続金具３０（４２）と接続部５２（２０）とを離間させる場合には、上記手順を逆に行うことによって離間できる。
【００５１】
上記手順によって、先端作業具４０の接続金具４２と絶縁操作棒１０の接続部２０とを接続することで、図４（ロ）に示すような、作業者から遠い位置で作業し、且つ間接活線作業を行う場合の遠近両用作業具１ｂとすることができる。
【００５２】
さらに、絶縁操作棒１０の基端部に被せられているキャップ１４を外し、接続金具３０を露出させた後、上記手順によって、前記接続金具３０と足し棒５０先端の接続部５２とを接続することで、より作業者から遠い位置での作業を行う場合の遠近両用作業具１ａとすることができる。尚、キャップ１４は、紐１５で絶縁操作棒１０のグリップ部Ｇと連結されているため、接続金具３０から外した際に落下することはなく、また、紛失することもない。
【００５３】
また、上記手順によって、先端作業具４０の接続金具４２と足し棒５０先端の接続部５２とを接続することで、図４（ハ）に示すような、通常の柄を備える作業具のように作業者に近い位置での作業を行う場合の遠近両用作業具１ｃとすることができる。
【００５４】
以上のように、先端作業具４０の基端部に、絶縁操作棒１０の先端部及び足し棒５０の先端部と着脱自在に接続可能な接続金具３０を備え、足し棒５０の先端部に、先端作業具４０の基端部及び絶縁操作棒１０の基端部と着脱自在に接続可能な接続部５２を備え、絶縁操作棒１０の先端部に先端作業具４０の基端部と着脱自在に接続可能な接続部２０を備え、且つその基端部に足し棒５０の先端部と着脱自在に接続可能な接続金具３０を備えることで、同じ先端作業具４０を用いて、作業者から遠い位置でも近い位置でも作業ができ、且つ遠い位置においては、間接活線作業が可能となる。
【００５５】
また、上記のように、同一の先端作業具４０を用いることができるため、作業現場へは間接活線作業用の長尺且つ絶縁性を備える作業具と通常の柄を備える作業具との二つの作業具を携帯する必要はなく、先端作業具４０、絶縁操作棒１０及び足し棒５０を携帯するだけで良くなることから携帯（運搬）する荷物（作業具）の量を減らすことができ、作業者の労力削減も可能となる。
【００５６】
尚、本発明の遠近両用作業具は、上記実施形態に限定されるものではなく、本発明の要旨を逸脱しない範囲内において種々変更を加え得ることは勿論である。
【００５７】
本実施形態においては、先端作業具４０の作業部４１は、鎌の刃であったが、これに限定される必要はなく、図５に示すように、ハンマーの先端部（釘等を打ち付ける部分）やラチェットレンチのボルトと係合する部分、鋸の刃等で構成される先端作業具であっても良い。即ち、一般に柄を備える作業具（又は工具）の柄を除いた作業部で構成される先端作業具であれば良い。
【００５８】
尚、作業部４１がラチェットレンチのボルトと係合する部分である場合は、図５（ロ）に示すように、軸部Ｊの中間部が回動可能に構成されることが好ましい。かかる構成とすることで、図６に示すように、絶縁操作棒１０を軸芯方向に沿って往復動するだけで、ボルトを締めたり緩めたりすることができる。
【００５９】
また、本実施形態においては、接続部２０（５２）は、筒状挿入部２１（２１’）に小さい円柱状の係止用突起２２（２２’）が一対備わっているが、これに限定される必要はなく、係止用突起は、平板状であっても良く（図７（イ）参照）、また、３つ以上備わっていても良い（図７（ロ）参照）。また、係止用突起は、互いに反対方向に突出するように設けられる必要もなく、軸線を中心に一方側若しくは非対称に設けられていても（図７（ハ）参照）、接続金具の係合切れ込みが対応する位置及び形状に形成（設定）されていれば良い。
【００６０】
さらに、接続部と接続金具とは、係止用突起と係合切れ込みとを係合させる構成とする必要もなく、接続部の周面に雄ネジを螺刻し、接続金具の内周面に前記雄ネジに対応する雌ネジが螺刻され、ネジ溝が螺刻された前記接続部と前記接続金具とが螺合するように形成されていても良い。
【００６１】
即ち、先端作業具と絶縁操作棒と足し棒との各接続手段は、先端作業具の基端部と絶縁操作棒の先端部及び足し棒の先端部とが着脱自在に接続でき、足し棒の先端部と先端作業具の基端部及び絶縁操作棒の基端部とが着脱自在に接続でき、絶縁操作棒の先端部と先端作業具の基端部とが着脱自在に接続でき、且つ絶縁操作棒の基端部と足し棒の先端部とが着脱自在に接続できれば、本実施形態以外の種々の接続手段によって構成されていても良い。このように構成されることで、上記同様に、同じ先端作業具を用いて、絶縁操作棒と足し棒とを適宜接続することで、作業者から遠い位置でも近い位置でも作業ができ、且つ遠い位置においては、間接活線作業が可能となる。
【図面の簡単な説明】
【００６２】
【図１】本実施形態に係る遠近両用作業具の（イ）は、絶縁操作棒の正面図を示し、（ロ）は、先端作業具の正面図を示し、（ハ）は、足し棒の正面図を示す。
【図２】同実施形態に係る遠近両用作業具の（イ）は、接続部の一部断面図を示し、（ロ）は、接続金具の斜視図を示し、（ハ）は、接続金具の縦断面図を示す。
【図３】同実施形態に係る遠近両用作業具の（イ）乃至（ロ）は、接続部と接続金具との接続方法を示す図である。
【図４】同実施形態に係る遠近両用作業具の（イ）は、先端作業具と絶縁操作棒と足し棒とを接続した状態の正面図を示し、（ロ）は、先端作業具と絶縁操作棒とを接続した状態の正面図を示し、（ハ）は、先端作業具と足し棒とを接続した状態の正面図を示す。
【図５】他実施形態に係る遠近両用作業具の（イ）は、作業部がハンマーのヘッド部で構成されている先端作業具の斜視図を示し、（ロ）は、作業部がラチェットレンチのボルトと係合する部分で構成されている先端作業具の正面図を示し、（ハ）は、作業部が鋸の刃で構成されている先端作業具の正面図を示す。
【図６】他実施形態に係る遠近両用作業具の使用状態図を示す。
【図７】他実施形態に係る遠近両用作業具の（イ）は、係止用突起が平板で構成される接続部の斜視図を示し、（ロ）は、係止用突起が３本突設されている接続部の側面図を示し、（ハ）は、係止用突起が軸線を中心に非対称に配置されている接続部の正面図を示す。
【図８】（イ）は、先端工具がバインド打器である従来の間接活線作業用工具の正面図を示し、（ロ）は、先端工具がトングである従来の間接活線作業用工具の正面図を示す。
【符号の説明】
【００６３】
１，１ａ，１ｂ，１ｃ…遠近両用作業具、１０…絶縁操作棒、１１…主軸（絶縁棒）、１２…安全限界鍔、１３…水切り鍔、１４…キャップ、１５…紐、２０，５２…接続部（接続手段）、２１，２１’…筒状挿入部、２２，２２’…係止用突起、２３、２３’…孔、２４，２４’…弾性体（スプリング）、２５，２５’…凸型部材、２６，２６’…凸部、２７，２７’…ヘッド部、２８…固定ネジ、３０，４２…接続金具（接続手段）、３１，３１’…係合切れ込み、３２，３２’…第１切れ込み部、３３，３３’…第２切れ込み部、３４，３４’…第３切れ込み部、４０…先端作業具、４１…作業部、４３…ボルト、Ｓ，Ｓ’…内部空間
【図１】
2008079432.tif 000003
【図２】
2008079432.tif 000004
【図３】
2008079432.tif 000005
【図４】
2008079432.tif 000006
【図５】
2008079432.tif 000007
【図６】
2008079432.tif 000008
【図７】
2008079432.tif 000009
【図８】
2008079432.tif 000010
【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
柄を備える作業具の柄を除く作業部で構成される先端作業具と、間接活線作業に用いられる絶縁操作棒と、前記絶縁操作棒に連結して延長するための足し棒とを備える間接活線作業可能な遠近両用作業具であって、
前記先端作業具は、その基端部に前記絶縁操作棒の先端部及び前記足し棒の先端部と着脱自在に接続可能な接続手段を備え、
前記足し棒は、その先端部に前記先端作業具の基端部及び前記絶縁操作棒の基端部と着脱自在に接続可能な接続手段を備えるとともに、その先端部に先端作業具の基端部が接続されたときに、前記柄を備える作業具のように作業者に近い位置での作業を行うべく、その長さが前記絶縁操作棒よりも短くされ、
前記絶縁操作棒は、その先端部に前記先端作業具の基端部と着脱自在に接続可能な接続手段を備え、且つその基端部に前記足し棒の先端部と着脱自在に接続可能な接続手段を備えることを特徴とする間接活線作業可能な遠近両用作業具。
【請求項２】
前記先端作業具の基端部に備えられる接続手段と前記絶縁操作棒の基端部に備えられる接続手段とが同一で、且つ前記絶縁操作棒の先端部に備えられる接続手段と前記足し棒の先端部に備えられる接続手段とが同一である請求項１に記載の間接活線作業可能な遠近両用作業具。
【請求項３】
前記先端作業具は、前記接続手段の先端側に前記作業部が交換可能に取り付けられる請求項１又は２記載の間接活線作業可能な遠近両用作業具。
【請求項４】
前記先端作業具の基端部に備えられる接続手段は、前記絶縁操作棒の先端部及び前記足し棒の先端部を着脱自在に接続可能な接続金具を有し、この接続金具には、その周壁端縁から先端側へ軸芯に沿った方向に切れ込んだ第１切れ込み部と、第１切れ込み部の先端側端部から周方向に沿って切れ込んだ第２切れ込み部と、第２切れ込み部の第１切れ込み部と反対側端部から基端側へ前記軸芯に沿った方向に切れ込んだ第３切れ込み部とから構成されるフック状の係合切れ込みが形成され、
前記絶縁操作棒の基端部に備えられる接続手段は、前記足し棒の先端部を着脱自在に接続可能な接続金具を有し、この接続金具には、その周壁端縁から先端側へ軸芯に沿った方向に切れ込んだ第１切れ込み部と、第１切れ込み部の先端側端部から周方向に沿って切れ込んだ第２切れ込み部と、第２切れ込み部の第１切れ込み部と反対側端部から基端側へ前記軸芯に沿った方向に切れ込んだ第３切れ込み部とから構成されるフック状の係合切れ込みが形成され、
前記絶縁操作棒の先端部には、前記先端作業具の係合切れ込みに係止される係止用突起を有する挿入部が設けられ、
前記足し棒の先端部には、前記先端作業具の係合切れ込み及び前記絶縁操作棒の係合切れ込みに係止される係止用突起を有する挿入部が設けられる請求項１から３のいずれか１項に記載の間接活線作業可能な遠近両用作業具。
【請求項５】
前記先端作業具は、鎌、鋸、ハンマー、ラチェットレンチの何れかである請求項１から４のいずれか１項に記載の間接活線作業可能な遠近両用作業具。
【請求項６】
前記絶縁操作棒の基端部に被せられるキャップを備える請求項１から５のいずれか１項に記載の間接活線作業可能な遠近両用作業具。
【手続補正２】
【補正対象書類名】明細書
【補正対象項目名】０００９
【補正方法】変更
【補正の内容】
【０００９】
そこで、上記課題を解決すべく、本発明に係る間接活線作業可能な遠近両用作業具は、柄を備える作業具の柄を除く作業部で構成される先端作業具と、間接活線作業に用いられる絶縁操作棒と、前記絶縁操作棒に連結して延長するための足し棒とを備える間接活線作業可能な遠近両用作業具であって、前記先端作業具は、その基端部に前記絶縁操作棒の先端部及び前記足し棒の先端部と着脱自在に接続可能な接続手段を備え、前記足し棒は、その先端部に前記先端作業具の基端部及び前記絶縁操作棒の基端部と着脱自在に接続可能な接続手段を備えるとともに、その先端部に先端作業具の基端部が接続されたときに、前記柄を備える作業具のように作業者に近い位置での作業を行うべく、その長さが前記絶縁操作棒よりも短くされ、前記絶縁操作棒は、その先端部に前記先端作業具の基端部と着脱自在に接続可能な接続手段を備え、且つその基端部に前記足し棒の先端部と着脱自在に接続可能な接続手段を備えることを特徴とする。
【手続補正３】
【補正対象書類名】明細書
【補正対象項目名】００２０
【補正方法】変更
【補正の内容】
【００２０】
かかる構成によれば、前記先端作業具における接続手段の先端側に作業部が交換可能に取り付けられていることから、前記作業部又は前記接続手段の一方が損傷した場合に、損傷した一方（作業部又は接続手段）だけを交換することが可能となり、メンテナンス費用の抑制を図ることができる。
また、前記先端作業具の基端部に備えられる接続手段は、前記絶縁操作棒の先端部及び前記足し棒の先端部を着脱自在に接続可能な接続金具を有し、この接続金具には、その周壁端縁から先端側へ軸芯に沿った方向に切れ込んだ第１切れ込み部と、第１切れ込み部の先端側端部から周方向に沿って切れ込んだ第２切れ込み部と、第２切れ込み部の第１切れ込み部と反対側端部から基端側へ前記軸芯に沿った方向に切れ込んだ第３切れ込み部とから構成されるフック状の係合切れ込みが形成され、前記絶縁操作棒の基端部に備えられる接続手段は、前記足し棒の先端部を着脱自在に接続可能な接続金具を有し、この接続金具には、その周壁端縁から先端側へ軸芯に沿った方向に切れ込んだ第１切れ込み部と、第１切れ込み部の先端側端部から周方向に沿って切れ込んだ第２切れ込み部と、第２切れ込み部の第１切れ込み部と反対側端部から基端側へ前記軸芯に沿った方向に切れ込んだ第３切れ込み部とから構成されるフック状の係合切れ込みが形成され、前記絶縁操作棒の先端部には、前記先端作業具の係合切れ込みに係止される係止用突起を有する挿入部が設けられ、前記足し棒の先端部には、前記先端作業具の係合切れ込み及び前記絶縁操作棒の係合切れ込みに係止される係止用突起を有する挿入部が設けられることが望ましい。また、前記先端作業具が鎌、鋸、ハンマー、ラチェットレンチの何れかであることが好ましい。また、前記絶縁操作棒の基端部に被せられるキャップを備える構成であることが望ましい。